(57)【要約】      （修正有）【課題】球自在回転滑り軸受構造体に設置された一個の球にてマッサージするマッサージ器具の提供。【解決手段】球自在回転滑り軸受構造体を、球自在回転滑り軸受け構造支持部および底面部にＯリングゴム２３を設置し外形をΦ６０からΦ８０ｍｍ程度とすることで床置き手握り兼用構造とした床置き手握り兼用部の本体筐体との一体構造とし、軸受け内周２２２を球径＋αとした軸受構造体の頂上部を球径より頂上部内径が若干小径となる高さで且つその外周に縦分割の溝を４個所設けることで球脱落防止撓み鍔２２３構造とするとともに、軸受け構造体の縦軸中心部に球径の５０％から７０％程度の貫通穴２２５を設け、内周Ｒ面との角部を内周Ｒ面より０．０１ｍｍから０．０４ｍｍ程度高くなるＲ面形状とし、そのＲ面での球との線接触滑り軸受２２１構造とする。【選択図】図２
0003139966.tif 000002
【実用新案登録請求の範囲】
【請求項１】
球自在回転滑り軸受構造体に設置された一個の球にてマッサージするマッサージ器具において、球自在回転滑り軸受構造体を、球自在回転滑り軸受け構造支持部及び手握り部又は床置き台部の本体筐体との一体構造とするとともに、球自在回転滑り軸受構造体の頂上部を球径より頂上部内径が小さくなるよう球の水平中心部より脱落防止効果が得られる必要最小限に高くし、且つその自在回転滑り軸受構造体の外周に縦分割の溝を３個以上設け球脱落防止撓み鍔構造とすることで、球の脱落防止と球脱落防止撓み鍔上部からの球装着ができ、球と、球脱落防止撓み鍔付き球自在回転滑り軸受一体筐体の２部品でマッサージ器具機能を有する構造としたことを特徴とするマッサージ器具。
【請求項２】
請求項１記載において、球脱落防止撓み鍔付き球自在回転滑り軸受構造体の内周面を、球径半径Ｒに対し＋０．０２ｍｍから＋０．０６ｍｍ程度のＲ面形状とするとともに、球脱落防止撓み鍔付き球自在回転滑り軸受一体筐体の垂直軸の中心部、すなわち球自在回転滑り軸受最下端底面の中央部に球径の５０％から７０％程度の全開放穴を設け、且つ球脱落防止撓み鍔付き球自在回転滑り軸受構造体の内周Ｒ面と、その解放穴との角部を内周Ｒ面より０．０１ｍｍから０．０４ｍｍ程度高くなるＲ１ｍｍ程度のＲ面形状とし、そのＲ面での球との線接触滑り軸受構造としたことを特徴とするマッサージ器具。
【請求項３】
請求項１、２記載において、球脱落防止撓み鍔構造とするための球脱落防止撓み鍔付き球自在回転滑り軸受構造体外周縦分割溝の深さを、球の着脱、および球脱落防止機能をなし且つ球自在回転滑り軸受最下端底面中央部に設けた解放穴に球自在回転滑り軸受構造体外周縦分割溝が干渉し連続構造で球の軸受けレス解放部が形成される深さとする構造としたことを特徴とするマッサージ器具。
【請求項４】
請求項１、２、３記載において、床置きおよび手持ち兼用可能とすべく、球径をΦ２０からΦ３０ｍｍ程度、球脱落防止撓み鍔からの球飛び出し高さを７ｍｍ以上、マッサージ器具の全高さを４０ｍｍから６０ｍｍ程度、球脱落防止撓み鍔付き球自在回転滑り軸受一体筐体の球脱落防止撓み鍔付き球自在回転滑り軸受部の外径、特に球脱落防止撓み鍔先端部を可能な限り小さくし、更に球脱落防止撓み鍔付き球自在回転滑り軸受一体筐体の反球設置側底面の形状を円形もしくは多角形としその最大外寸を床置き使用時横転防止機能と手持ち使用可能の両機能兼用な５０ｍｍから８０ｍｍ程度とするとともに、その反球設置側底面の外周に近い位置にＯリングゴムに合わせたリング溝、もしくは小片ゴム形状に合わせた複数、等間隔の溝を、ゴムの厚さよりも浅い深さで設け、その溝にリング状のゴムを一個、もしくは小片ゴムを複数個設置固定した構造としたことを特徴とするマッサージ器具。
【請求項５】
請求項１，２，３記載において、球径をΦ１６からΦ２６ｍｍ程度、球脱落防止撓み鍔からの球飛び出し高さを必要機能を満足する範囲でできるだけ大きくし（６ｍｍ以上）、球脱落防止撓み鍔付き球自在回転滑り軸受一体筐体の球脱落防止撓み鍔付き球自在回転滑り軸受部の外径、特に球脱落防止撓み鍔先端部を可能な限り小さくするとともに、球頂点から３０ｍｍから４５ｍｍ程度の位置に手握り部外径＋高さ４ｍｍから８ｍｍ程度の加圧用鍔を球脱落防止撓み鍔付き球自在回転滑り軸受一体筐体垂直軸中心に転がることを防止できる楕円形等の形状で設け、且つ握り部外径をΦ２０からΦ３０ｍｍ程度、握り部長さを７０ｍｍから１００ｍｍ程度とするとともに握り部の端面を据わり面とし縦置きも可能なる携帯用小型手持ち専用構造としたことを特徴としたマッサージ器具。
【請求項６】
請求項５記載において、球脱落防止撓み鍔付き球自在回転滑り軸受一体筐体の、加圧用鍔部、握り部等を、ハート形状、花びら形状、三つ葉形状、四つ葉形状等としデザイン性を持った構造としたことを特徴とするマッサージ器具。
【請求項７】
請求項１から６記載において、球脱落防止撓み鍔付き球自在回転滑り軸受一体筐体の形状を、マッサージ機能および強度確保を図る範囲で補強リブ設置等も含めたエンジニアリングプラスチック等の高強度低摩擦抵抗モールド成形用樹脂薄肉構造としたことを特徴とするマッサージ器具。
【請求項８】
請求項１から７記載において、球脱落防止撓み鍔付き球自在回転滑り軸受一体筐体の形状を一方向分割金型構造で成形できる形状としたことを特徴とするマッサージ器具。
【請求項９】
請求項４記載の床置きおよび手持ち兼用可能な、球と、球脱落防止撓み鍔付き球自在回転滑り軸受一体筐体の２部品でマッサージ器具機能を有するマッサージ器具において、外径Φ２０からΦ３０ｍｍ程度、握り部長さ７０ｍｍから１００ｍｍ程度の手握り部と、手握り部外径＋１０ｍｍ以上で球脱落防止撓み鍔付き球自在回転滑り軸受一体筐体の床設置面の内周部の形状に合わせ且つスリット溝撓み挟みつけ構造とした嵌合部からなる、球脱落防止撓み鍔付き球自在回転滑り軸受一体筐体嵌合取手を、組み込んで使用できる構造としたことを特徴とするマッサージ器具。
【請求項１０】
球自在回転滑り軸受構造体に設置された一個の球にてマッサージするマッサージ器具において、球の材質を、一般金属以外の、チタン、チタンコーテング金属、球自在回転滑り軸受構造体よりも硬いスーパーエンジニアリングプラスチック等の高硬度低摩擦抵抗モールド成形用樹脂のいずれか、もしくは、セラミック、ゲルマニウム鉱石、トルマリン鉱石、麦飯石、ラジウム鉱石、温泉湯の花、フェライト、バリウムフェライトこれらの粉末または粒体を同一種を除くいずれか一種類又は複数種類混成したセラミック、ガラス、球自在回転滑り軸受構造体よりも硬いスーパーエンジニアリングプラスチック等の高硬度低摩擦抵抗モールド成形用樹脂のいずれかとしたことを特徴とするマッサージ器具。
【請求項１１】
球自在回転軸受け構造体に設置された一個の球にてマッサージするマッサージ器具において、球体外周部の材質を、球自在回転軸受け構造体よりも硬いスーパーエンジニアリングプラスチック等の高硬度低摩擦抵抗モールド成形用樹脂、もしくはセラミック、もしくはガラスとし、球のほぼ中心部をゲルマニウム鉱石、トルマリン鉱石、麦飯石、ラジウム鉱石、フェライト、バリウムフェライトのいずれか一種類の固形体とし一体成形する構造とするとともに、ほぼ中心部に固形体を位置決めするために外周の材質体から中心部の固形体に連続する円錐状等の溝、もしくは段差貫通穴を球径の１５％以下の大きさで一箇所設けた構造としたことを特徴としたマッサージ器具。
【請求項１２】
球自在回転滑り軸受構造体に設置された一個の球にてマッサージするマッサージ器具において、球の材質を、球自在回転軸受け構造体よりも硬いスーパーエンジニアリングプラスチック等の高硬度低摩擦抵抗モールド成形用樹脂、もしくはガラスとするとともに、その構造を、対象端面２箇所に球径の１５％以下の小さな窪みもしくはフラット面を設けた構造としたことを特徴としたマッサージ器具。
【考案の詳細な説明】
【技術分野】
【０００１】  本考案は、マッサージ器具に関するものであり、自在回転球と筐体の２部品からなる等の超シンプル安価構造化、マッサージ効果性、金属アレルギー対応、素肌・着衣・浴槽兼用性、小型携帯・床置き・手持ち兼用性、汚れ防止・分解清掃性、デザイン性、温泉効果性、等のマッサージ器具の具備要件に対し、個々に、もしくは複合的に、もしくは総合的に改善しうる考案である。
【背景技術】
【０００２】  従来から球自在回転滑り軸受構造体に設置された一個の球にてマッサージするマッサージ器具は沢山考案されている。この例として実用新案文献１や特許文献２に開示されているものがある。
【実用新案文献１】
登録実用新案第３０６０８７８号
【特許文献１】  特許公開平０７−５９８３５号
【考案の開示】
【考案が解決しようとする課題】
【０００３】  しかし、従来品は３点以上の複合部品構成で原価追及が不十分であり、且つ球の着脱清掃性、磁石接触含めた球回転滑り性、床置き滑り防止ゴムの剥がれポテンシャル、球保持先端部極小化及び手握り形状等によるマッサージ効果性、金属アレルギー及び温泉効果対応球の多種材料対応高精度安価製造性、健康器具デザイン性、等に対する追及考案が不十分であり、消費者が求める、安価にして操作性含めたマッサージ効果性に優れ、且つ安全でデザイン性等、複合的もしくは総合的に満足できるものとなっていない。前記不具合を解決することを課題とする。
【課題を解決するための手段】
【０００４】  この課題を解決するための請求項１の考案は、球自在回転滑り軸受構造体に設置された一個の球にてマッサージするマッサージ器具において、球自在回転滑り軸受構造体を、球自在回転滑り軸受け構造支持部及び手握り部又は床置き台部の本体筐体との一体構造とするとともに、球自在回転滑り軸受構造体の頂上部を球径より頂上部内径が小さくなるよう球の水平中心部より脱落防止効果が得られる必要最小限に高くし、且つその自在回転滑り軸受構造体の外周に縦分割の溝を３個以上設け球脱落防止撓み鍔構造とすることで、球の脱落防止と球脱落防止撓み鍔上部からの球装着ができ、球と、球脱落防止撓み鍔付き球自在回転滑り軸受一体筐体の２部品でマッサージ器具機能を有する構造とした。本考案により、シンプル安価化を図ることができる。【０００５】  請求項２の考案は、請求項１記載において、球脱落防止撓み鍔付き球自在回転滑り軸受構造体の内周面を、球径半径Ｒに対し＋０．０２ｍｍから＋０．０６ｍｍ程度のＲ面形状とするとともに、球脱落防止撓み鍔付き球自在回転滑り軸受一体筐体の垂直軸の中心部、すなわち球自在回転滑り軸受最下端底面の中央部に球径の５０％から７０％程度の全開放穴を設け、且つ球脱落防止撓み鍔付き球自在回転滑り軸受構造体の内周Ｒ面と、その解放穴との角部を内周Ｒ面より０．０１ｍｍから０．０４ｍｍ程度高くなるＲ１ｍｍ程度のＲ面形状とし、そのＲ面での球との線接触滑り軸受構造とした。本考案により、体毛の挟みこみを防止するとともに、球加圧時の球脱落防止撓み鍔の球側への撓み接触および、異物の滑り軸受摺動部への巻き込み齧り等による自在回転抵抗の増大を防止でき、且つ異物溜りによる汚れ抑制性の改善、更に球の分離性、清掃性の向上を図ることができる。【０００６】  請求項３の考案は、請求項１、２記載において球脱落防止撓み鍔構造とするための球脱落防止撓み鍔付き球自在回転滑り軸受構造体外周縦分割溝の深さを、球の着脱、球脱落防止機能をなし且つ球自在回転滑り軸受最下端底面中央部に設けた解放穴に球自在回転滑り軸受構造体外周縦分割溝が干渉し連続構造で球の軸受けレス解放部が形成される深さとする構造とした。本考案により、異物の溜りによる汚れ抑制性、摺動部の齧り・摩耗防止性の向上を図ることができる。【０００７】  請求項４の考案は、請求項１、２、３記載において、床置きおよび手持ち兼用可能とすべく、球径をΦ２０からΦ３０ｍｍ程度、球脱落防止撓み鍔からの球飛び出し高さを７ｍｍ以上、マッサージ器具の全高さを４０ｍｍから６０ｍｍ程度、球脱落防止撓み鍔付き球自在回転滑り軸受一体筐体の球脱落防止撓み鍔付き球自在回転滑り軸受部の外径、特に球脱落防止撓み鍔先端部を可能な限り小さくし、更に球脱落防止撓み鍔付き球自在回転滑り軸受一体筐体の反球設置側底面の形状を円形もしくは多角形としその最大外寸を床置き使用時横転防止機能と手持ち使用可能の両機能兼用な５０ｍｍから８０ｍｍ程度とするとともに、その反球設置側底面の外周に近い位置にＯリングゴムに合わせたリング溝、もしくは小片ゴム形状に合わせた複数、等間隔の溝を、ゴムの厚さよりも浅い深さで設け、その溝にリング状のゴムを一個、もしくは小片ゴムを複数個設置固定した構造とした。本考案により、特に足裏マッサージに優れた小型携帯可能床置き手持ち兼用化、床置き滑り防止ゴム安価化、ゴム剥れ防止化、且つ素肌、着衣、浴槽内全使用可能化、更に球脱落防止保持部のマッサージ効果弊害改善を図ることができる。【０００８】  請求項５の考案は、請求項１、２、３記載において、球径をΦ１６からΦ２６ｍｍ程度、球脱落防止撓み鍔からの球飛び出し高さを必要機能を満足する範囲でできるだけ大きくし（６ｍｍ以上）、球脱落防止撓み鍔付き球自在回転滑り軸受一体筐体の球脱落防止撓み鍔付き球自在回転滑り軸受部の外径、特に球脱落防止撓み鍔先端部を可能な限り小さくするとともに、球頂点から３０ｍｍから４５ｍｍ程度の位置に手握り部外径＋高さ４ｍｍから８ｍｍ程度の加圧用鍔を球脱落防止撓み鍔付き球自在回転滑り軸受一体筐体垂直軸中心に転がることを防止できる楕円形等の形状で設け、且つ握り部外径をΦ２０からΦ３０ｍｍ程度、握り部長さを７０ｍｍから１００ｍｍ程度とするとともに握り部の端面を据わり面とすることで縦置きも可能なる携帯用小型手持ち専用構造とした。本考案により、携帯用小型手持ち専用構造品の手操作性含めたマッサージ効果性の改善を図るとともに、テーブル等への縦置き化、転がり防止化を図ることができる。【０００９】  請求項６の考案は、請求項５記載において、球脱落防止撓み鍔付き球自在回転滑り軸受一体筐体の、加圧用鍔部、握り部等を、ハート形状、花びら形状、三つ葉クローバー形状、四つ葉クローバー形状等とし、デザイン性を持った構造とした。本考案により、携帯用小型手持ち専用構造品における形状類似からくる性器具品類似イメージを払拭するとともに健康グッツデザイン化を図ることができる。【００１０】  請求項７の考案は、請求項１から５記載において、球脱落防止撓み鍔付き球自在回転滑り軸受一体筐体の形状をマッサージ機能、強度確保を図る範囲で補強リブ設置等も含めたエンジニアリングプラスチック等の高強度低摩擦抵抗モールド成形用樹脂薄肉構造とした。本考案により、摺動抵抗軽減化にともなう球自在回転性改善によるマッサージ効果の改善、および軽量化、安価化を図ることができる。【００１１】  請求項８の考案は、請求項１から７記載において、球脱落防止撓み鍔付き球自在回転滑り軸受一体筐体の形状を一方向分割金型構造で成形できる形状とした。本考案により、金型費、成形コストの低減が可能となり安価化を図ることができる。【００１２】  請求項９の考案は、請求項４記載の床置きおよび手持ち兼用可能な、球と、球脱落防止撓み鍔付き球自在回転滑り軸受一体筐体の２部品でマッサージ器具機能を有するマッサージ器具において、外径Φ２０からΦ３０ｍｍ程度、握り部長さ７０ｍｍから１００ｍｍ程度の手握り部と、手握り部外径＋１０ｍｍ以上で球脱落防止撓み鍔付き球自在回転滑り軸受一体筐体の床設置面の内周部の形状に合わせ且つスリット溝撓み挟みつけ構造とした嵌合部からなる、球脱落防止撓み鍔付き球自在回転滑り軸受一体筐体嵌合取手を、組み込んで使用できる構造とした。本考案により床置き手持ち兼用タイプにおける手持ち使用時での手操作性、マッサージ効果性の改善を図ることができる。【００１３】  請求項１０の考案は、球自在回転滑り軸受構造体に設置された一個の球にてマッサージするマッサージ器具において、球の材質を、一般金属以外の、チタン、チタンコーテング金属、球自在回転滑り軸受構造体よりも硬いスーパーエンジニアリングプラスチック等の高硬度低摩擦抵抗モールド成形用樹脂のいずれか、もしくは、セラミック、ゲルマニウム鉱石、トルマリン鉱石、麦飯石、ラジウム鉱石、温泉湯の花、フェライト、バリウムフェライトこれらの粉末または粒体を同一種を除くいずれか一種類又は複数種類混成したセラミック、ガラス、球自在回転滑り軸受構造体よりも硬いスーパーエンジニアリングプラスチック等の高硬度低摩擦抵抗モールド成形用樹脂のいずれかとした。本考案により、球自在回転滑り軸受構造体同一樹脂かじり弊害、及び鉱石類単独球の摩擦抵抗大弊害を克服し、金属アレルギー弊害をなくすとともに、ツボマッサージ効果と合わせて遠赤外線効果、温泉効果、磁気効果を比較的安価に実用化することができる。【００１４】  請求項１１の考案は、球自在回転滑り軸受構造体に設置された一個の球にてマッサージするマッサージ器具において、球体外周部の材質を、球自在回転滑り軸受構造体よりも硬いスーパーエンジニアリングプラスチック等の高硬度低摩擦抵抗モールド成形用樹脂、もしくはセラミック、もしくはガラスとし、球のほぼ中心部をゲルマニウム鉱石、トルマリン鉱石、麦飯石、ラジウム鉱石、フェライト、バリウムフェライトのいずれか一種類の固形体とし一体成形する構造とするとともに、ほぼ中心部に固形体を位置決めするために外周の材質体から中心部の固形体に連続する円錐状等の溝、もしくは段差貫通穴を球径の１５％以下の大きさで一箇所設けた構造とした。本考案により、球自在回転滑り軸受構造体同一樹脂かじり弊害、及び鉱石類単独球の摩擦抵抗大弊害を克服し、金属アレルギー弊害をなくすとともに、ツボマッサージ効果と合わせて遠赤外線効果、温泉効果、磁気効果を比較的安価に実用化することができる。【００１５】  請求項１２の考案は、球自在回転滑り軸受構造体に設置された一個の球にてマッサージするマッサージ器具において、球の材質を、球自在回転滑り軸受構造体よりも硬いスーパーエンジニアリングプラスチック等の高硬度低摩擦抵抗モールド成形用樹脂、もしくはガラスとするとともに、その構造を、対象端面２箇所に球径の１５％以下の小さな窪みもしくはフラット面を設けた構造とした。本考案により、モールド樹脂球成形後工程でのゲイト処理費、及び突き出し痕対応費用の低減が可能であり、安価モールド成形球適用による安価化を図ることができる。
【考案の効果】
【００１６】  前項「課題を解決するための手段」で、請求項１から請求項１２の考案による効果について個々に記載したとおり、本考案により、自在回転球と筐体の２部品からなる等の超シンプル安価構造化、マッサージ効果性、金属アレルギー対応、素肌・着衣・浴槽兼用性、小型携帯・床置き・手持ち兼用性、汚れ防止・分解清掃性、デザイン性、温泉効果性、等のマッサージ器具の具備要件に対し、個々に、もしくは複合的に、もしくは総合的に改善しうるものである。
【発明を実施するための最良形態】
【００１７】  図１は、請求項の１、２、３、５、６、７、８、１０，１２を適用した、球と球脱落防止撓み鍔付き球自在回転滑り軸受部・手握り部一体筐体の２部品からなる携帯用小型手持ち専用構造のマッサージ器具である。
【００１８】  図２は、請求項の１、２、３、４、７、８、１０、１１を適用した、球と球脱落防止撓み鍔付き球自在回転滑り軸受部・手握り部兼床設置部一体筐体の２部品構造を基本に、底面部の外形を手握り可能な範囲で床置兼用用に大きくするとともに底面にリング溝を設けＯリングゴムを装着した、小型携帯可能床置き手持ち兼用構造のマッサージ器具である。
【図面の簡単な説明】
【００１９】
【図１】  図１は、請求項の１、２、３、５、６、７、８、１０，１２を適用した、球と球脱落防止撓み鍔付き球自在回転滑り軸受部・手握り部一体筐体の２部品からなる携帯用小型手持ち専用構造のマッサージ器具であり、図１−１は上面図、図１−２は側面図である。
【図２】  図２は、請求項の１、２、３、４、７、８、１０、１１を適用した、球と球脱落防止撓み鍔付き球自在回転滑り軸受部・手握り部兼床設置部一体筐体の２部品構造を基本に、底面部の外形を手握り可能な範囲で床置兼用用に大きくするとともに底面にリング溝を設けＯリングゴムを装着した、小型携帯可能床置き手持ち兼用構造のマッサージ器具であり、図２−１は上面図、図２−２は側面図（中心右側は断面図）である。
【符号の説明】
【００２０】１１      球径ΦＤ１１スーパーエンジニアリングプラスチック球
１２      球脱落防止撓み鍔付き球自在回転滑り軸受部・手握り部一体筐体
Ｒ１１    球半径
Ｒ１２    球軸受け構造部内周Ｒ：球半径Ｒ１１＋０．０２から＋０．０６ｍｍ
１１１    球の外形対象端面２箇所に設けた窪み（ΦＤ１６）
１２１    滑り軸受部下面解放穴角Ｒ面線接触滑り軸受部
※軸受部内周Ｒ面より０．０１〜０．０４ｍｍ高くしたＲ面取り形状部
１２２    球軸受け構造部内周Ｒ面部
１２３    先端部最小化を考慮した３分割撓み鍔
１２４    ΦＤ１５モールド成形対応抜きテーパー構造の手握り部
１２５    四つ葉クローバー形状とした加圧用鍔部
１２６    ΦＤ１４滑り軸受下端底面解放穴
１２７    ΦＤ１６薄肉構造化及びモールド成形時抜きテーパー形状の内径逃げ部
１２８    自在回転マッサージ球の筐体鍔からの飛び出し高さ（Ｈ１１）
１２９    縦置き可能平坦面部
２１      ほぼ中心部にゲルマニウム固形体を一体焼成したΦＤ２１のセラミック球
２２      球脱落防止撓み鍔付き球自在回転滑り軸受部・床置き手握り兼用部一体筐体
２３      床置き滑り防止用Ｏリング
Ｒ２１    球外周半径
Ｒ２２    球軸受け構造部内周Ｒ：球半径Ｒ１１＋０．０２から＋０．０６ｍｍ
２１１    球外周セラミック部
２１２    中心部に外周セラミックと段差状貫通穴を有するゲルマニウム固形体
２１３    外周セラミックと中心部ゲルマニウム固形体に設けた段差状貫通穴
２２１    滑り軸受部下面解放穴角Ｒ面線接触滑り軸受部
※軸受部内周Ｒ面より０．０１〜０．０４ｍｍ高くしたＲ面取り形状部
２２２    球軸受け構造部内周Ｒ面部
２２３    先端部最小化を考慮した４分割撓み鍔
２２４    手握り可能で且つ床置き使用可能なΦＤ２５で、底面にリング溝を設けた筐体本体部
２２５    ΦＤ２４滑り軸受下端底面解放穴
２２６    モールド成形時抜きテーパーをつけた薄肉化対応補強リブ部
２２７    自在回転マッサージ球の筐体鍔からの飛び出し高さ（Ｈ２１）
【図１】
0003139966.tif 000003
【図２】
0003139966.tif 000004
【手続補正書】
【提出日】平成19年9月6日(2007.9.6)
【手続補正１】
【補正対象書類名】実用新案登録請求の範囲
【補正の内容】
0003139966.tif 000005
0003139966.tif 000006
【手続補正書】
【提出日】平成19年11月26日(2007.11.26)
【手続補正１】
【補正対象書類名】実用新案登録請求の範囲
【補正対象項目名】請求項１０
【補正方法】変更
【補正の内容】
【請求項１０】
請求項１〜９記載において、球の材質を、一般金属以外の、チタン、チタンコーテング金属、球自在回転滑り軸受構造体よりも硬いスーパーエンジニアリングプラスチック等の高硬度低摩擦抵抗モールド成形用樹脂のいずれか、もしくは、セラミック、ゲルマニウム鉱石、トルマリン鉱石、麦飯石、ラジウム鉱石、温泉湯の花、フェライト、バリウムフェライトこれらの粉末または粒体を同一種を除くいずれか一種類又は複数種類混成したセラミック、ガラス、球自在回転滑り軸受構造体よりも硬いスーパーエンジニアリングプラスチック等の高硬度低摩擦抵抗モールド成形用樹脂のいずれかとしたことを特徴とするマッサージ器具。
【手続補正２】
【補正対象書類名】実用新案登録請求の範囲
【補正対象項目名】請求項１１
【補正方法】変更
【補正の内容】
【請求項１１】
請求項１〜９記載において、球体外周部の材質を、球自在回転軸受け構造体よりも硬いスーパーエンジニアリングプラスチック等の高硬度低摩擦抵抗モールド成形用樹脂、もしくはセラミック、もしくはガラスとし、球のほぼ中心部をゲルマニウム鉱石、トルマリン鉱石、麦飯石、ラジウム鉱石、フェライト、バリウムフェライトのいずれか一種類の固形体とし一体成形する構造とするとともに、ほぼ中心部に固形体を位置決めするために外周の材質体から中心部の固形体に連続する円錐状等の溝、もしくは段差貫通穴を球径の１５％以下の大きさで一箇所設けた構造としたことを特徴としたマッサージ器具。
【手続補正３】
【補正対象書類名】実用新案登録請求の範囲
【補正対象項目名】請求項１２
【補正方法】変更
【補正の内容】
【請求項１２】
請求項１〜９記載において、球の材質を、球自在回転軸受け構造体よりも硬いスーパーエンジニアリングプラスチック等の高硬度低摩擦抵抗モールド成形用樹脂、もしくはガラスとするとともに、その構造を、対象端面２箇所に球径の１５％以下の小さな窪みもしくはフラット面を設けた構造としたことを特徴としたマッサージ器具。
【手続補正４】
【補正対象書類名】手続補正書
【補正対象項目名】手続補正２
【補正方法】変更
【補正の内容】
【手続補正４】
【補正対象書類名】明細書
【補正対象項目名】００１３
【補正方法】変更
【補正の内容】
【００１３】  請求項１０の考案は、請求項１〜９記載において、球の材質を、一般金属以外の、チタン、チタンコーテング金属、球自在回転滑り軸受構造体よりも硬いスーパーエンジニアリングプラスチック等の高硬度低摩擦抵抗モールド成形用樹脂のいずれか、もしくは、セラミック、ゲルマニウム鉱石、トルマリン鉱石、麦飯石、ラジウム鉱石、温泉湯の花、フェライト、バリウムフェライトこれらの粉末または粒体を同一種を除くいずれか一種類又は複数種類混成したセラミック、ガラス、球自在回転滑り軸受構造体よりも硬いスーパーエンジニアリングプラスチック等の高硬度低摩擦抵抗モールド成形用樹脂のいずれかとした。本考案により、球自在回転滑り軸受構造体同一樹脂かじり弊害、及び鉱石類単独球の摩擦抵抗大弊害を克服し、金属アレルギー弊害をなくすとともに、ツボマッサージ効果と合わせて遠赤外線効果、温泉効果、磁気効果を比較的安価に実用化することができる。
【手続補正５】
【補正対象書類名】手続補正書
【補正対象項目名】手続補正２
【補正方法】変更
【補正の内容】
【手続補正５】
【補正対象書類名】明細書
【補正対象項目名】００１４
【補正方法】変更
【補正の内容】
【００１４】  請求項１１の考案は、請求項１〜９記載において、球体外周部の材質を、球自在回転滑り軸受構造体よりも硬いスーパーエンジニアリングプラスチック等の高硬度低摩擦抵抗モールド成形用樹脂、もしくはセラミック、もしくはガラスとし、球のほぼ中心部をゲルマニウム鉱石、トルマリン鉱石、麦飯石、ラジウム鉱石、フェライト、バリウムフェライトのいずれか一種類の固形体とし一体成形する構造とするとともに、ほぼ中心部に固形体を位置決めするために外周の材質体から中心部の固形体に連続する円錐状等の溝、もしくは段差貫通穴を球径の１５％以下の大きさで一箇所設けた構造とした。本考案により、球自在回転滑り軸受構造体同一樹脂かじり弊害、及び鉱石類単独球の摩擦抵抗大弊害を克服し、金属アレルギー弊害をなくすとともに、ツボマッサージ効果と合わせて遠赤外線効果、温泉効果、磁気効果を比較的安価に実用化することができる。
【手続補正６】
【補正対象書類名】手続補正書
【補正対象項目名】手続補正２
【補正方法】変更
【補正の内容】
【手続補正６】
【補正対象書類名】明細書
【補正対象項目名】００１５
【補正方法】変更
【補正の内容】
【００１５】  請求項１２の考案は、請求項１〜９記載において、球の材質を、球自在回転滑り軸受構造体よりも硬いスーパーエンジニアリングプラスチック等の高硬度低摩擦抵抗モールド成形用樹脂、もしくはガラスとするとともに、その構造を、対象端面２箇所に球径の１５％以下の小さな窪みもしくはフラット面を設けた構造とした。本考案により、モールド樹脂球成形後工程でのゲイト処理費、及び突き出し痕対応費用の低減が可能であり、安価モールド成形球適用による安価化を図ることができる。